(57)【要約】      （修正有）【課題】取り付け先の形状や素材を選ばず、かつ、プライバシー保護や防犯対策にも効果のある、容易に設置可能な扉開放防止装置を提供する。【解決手段】軽量扉の開放防止用具として、扉と箱との接続部材にカールコード（巻線状伸縮線）１を使用する。蝶番辺対向部に開放防止用具を実装する。扉及び箱にビラカンを取り付け、両端にフックが接続されたカールコード（開放防止用具）１の両端を扉及び箱に取り付けられたビラカンにフックを介して接続する。フックをビラカンから取り外し、フックをビラカンに取り付けることにより開放防止用具が容易に交換できる。【選択図】図１
0003197327.tif 000002
【実用新案登録請求の範囲】
【請求項１】
軽量扉等の開放防止用具として、カールコード（巻線状伸縮線）を使用することを特徴とする扉開放防止装置。
【請求項２】
蝶番辺対向部（開放側）に実装することを特徴とする扉開放防止装置。
【請求項３】
開放防止用具が容易に交換できる扉開放防止装置。
【請求項４】
容易に脱着が可能な扉開放防止装置。
【請求項５】
取り付ける箱の形状を問わない扉開放防止装置。
【請求項６】
開放防止用具の交換により開放限界角度を変化させることのできる扉開放防止装置。
【請求項７】
開放防止用具の太さや素材（樹脂製のカールコードから鉄製のバネへの交換等）を変化させることにより、閉力や閉速度を変化させることのできる扉開放防止装置。
【考案の詳細な説明】
【技術分野】
【０００１】  本考案は、二輪車用配達箱やロッカー等に用いられる樹脂や鉄製等の軽量扉の開放防止装置に関する。
【背景技術】
【０００２】  従来の扉開放防止装置は、主として、ドアクローザなどの機械機構を蝶番取り付け辺上部に取り付け、扉が開いた際に、閉じる方向に扉内部より引く力を加えるものである。【０００３】  さらに、箱と扉内側とを、リール等で接続し、扉開放の角度を固定的にストップさせる方式などもある。【０００４】  しかしながら、ドアクローザは、蝶番取り付け辺側に他の機能を付帯させるための空間が無い場合、箱の形状がドアクローザの設置に不適切な場合（曲面を多用している等）、また樹脂等のように、箱や扉の強度が弱い場合には、その実装が困難な場合がある。【０００５】  また、リール等の線にて箱と扉を接続する方式では、線が短すぎると扉の開度が少なく物を出し入れする際に不便であり、長すぎるとリールが箱と扉の間に挟まり、扉を閉じる際に邪魔になったり、物に絡まるなどして勝手がわるく、さらに、配達等で両手が塞がっている場合などは、扉が開放されたままになり、中身が外部から容易に盗み見ることができるため、プライバシー保護や防犯上好ましくない。【０００６】  設置に不便や困難が伴うからといって、なんらの開放防止装置も設置しない場合には、これらの扉は抵抗無しで最大開放角度まで容易に解放できるため、意図しない要素（風や振動等）により、扉に最大開放角度以上に開こうとする力が加わった場合には、蝶番付近に梃子の原理による過大な負荷がかかり、箱や扉の蝶番取り付け部が破損する危険性が増大する。
【先行技術文献】
【特許文献】
【０００７】
【特許文献１】特許公開２００１−１２１２９
【非特許文献】
【０００８】
【非特許文献１】ＲＹＯＢＩ  ＷＥＢカタログ  ドアクローザ
【考案の概要】
【考案が解決しようとする課題】
【０００９】  本考案は、以上のような従来の欠点に鑑み、取り付け先の形状や素材を選ばず、かつ、プライバシー保護や防犯対策にも効果のある、容易に設置可能な扉開放防止装置を提供することを課題とする。
【課題を解決するための手段】
【００１０】  以上の課題を解決するために、第一考案は、軽量扉等の開放防止用具として、カールコード（巻線状伸縮線）を使用することを特徴とする扉開放防止装置である。【００１１】  第二考案は、箱の蝶番取り付け対向部（開放側）に扉開放防止機構を実装することを特徴とする開き防止装置である。【００１２】  第三考案は、開放防止用具が容易に交換できる扉開放防止装置である。【００１３】  第四考案は、容易に脱着が可能な扉開放防止装置である。【００１４】  第五考案は、取り付ける箱の形状を問わない扉開放防止装置である。【００１５】  第六考案は、開放防止用具の交換により開放限界角度を変化させることのできる扉開放防止装置である。【００１６】  第七考案は、開放防止用具の太さや素材（樹脂製のカールコードから鉄製のバネへの交換等）を変化させることにより、閉力や閉速度を変化させることのできる扉開放防止装置である。
【考案の効果】
【００１７】  第一考案によれば、伸縮性のあるカールコード（巻線状伸縮線）を使用することにより、手動による開き方向への力を扉に対して加えることで、扉の開度角が、カールコード（巻線状伸縮線）の最大伸張長を限度として、力の強さに応じた無段階開度に即応変化することが可能となり、また、開方向へ力を加えた際の慣性の法則による、扉開度の過伸展が防止される。かつ、開き方向への力が無くなった際には、即時に開度が縮小されることにより、開放の必要の無い場合、即時に外部から内部への視線が遮断され、プライバシー保護や防犯の効果に寄与する。さらに、伸縮性の素材を使用することにより、リール等であると出し入れする線が荷物に絡まる等の勝手の悪さがあったものが解消される。【００１８】  第二考案によれば、蝶番取り付け辺側に当該機能を含ませないことにより、蝶番取り付け辺側に余分な空間が無い場合など、従来では実装が難しかった箱の形状においても同機能が実装可能となる。【００１９】  第三及び第四考案によれば、カールコード（巻線状伸縮線）の交換・脱着が必要になった際に、カールコードの両端に接続してあるフックを箱本体に取り付けてあるビラカンから取り外すことにより、容易に交換・脱着が実現できる。【００２０】  第五考案によれば、ビラカンを用い、箱に対し、カールコード接続の基点を点で実装（ボルト又は木ねじ等を用い）することにより、曲面等を多用した複雑な形状の箱であっても当該機能が実装可能となる。【００２１】  第六考案によれば、カールコード（巻線状伸縮線）の限界伸張長を異なるものと交換することにより、扉の限界開放角度を変化させることが可能である。【００２２】  第七考案によれば、カールコードの太さや素材を変化させ、その張力等を異なるものにすることにより、様々な閉力や閉速度への対応が可能となる。
【図面の簡単な説明】
【００２３】
【図１】この考案の一実施形態を示す斜視図である（開放時）。
【図２】この考案の一実施形態を示す斜視図である（閉じ寸前時）
【図３】この考案の用具であるカールコードを示す斜視図である。
【図４】この考案の用具であるカールコード末端を示す写図である。
【図５】この考案の取り付け用具であるビラカンを示す平面図である。
【図６】この考案の取り付け用具であるビラカンの設置方法を示す平面図である。
【考案を実施するための形態】
【００２４】  以下、本考案の実施の形態を図に基づいて説明する。
【実施例１】
【００２５】  図１は、本考案装置の実施例１の斜視図であって、扉開放時の箱内部の様子を図示したものである。▲２▼と▲３▼の部位に図５にて示すビラカンを図６にように取り付け、その間を、図３にて示すカールコード等で接続する。接続する際には、カールコードの両末端を図４−▲３▼のように先端部にフックを取り付け、これを箱と扉に設置された、両ビラカンの図５−▲１▼に示す三角リング部に接続する。
【実施例２】
【００２６】  図２は、本考案装置の実施例２の斜視図であって、扉閉じ寸前の箱内部の様子を図示したものである。扉を開く方向への力が消滅した際には、▲１▼のカールコード部が縮小し扉を閉める働きをする。
【産業上の利用可能性】
【００２７】  本考案は、２輪車に荷物を積載するための樹脂製箱やシューズロッカー等を製造する産業で利用される。
【符号の説明】
【００２８】「図１」
▲１▼  扉の開放防止に使用されるカールコード
▲２▼  カールコード箱側取り付け部
▲３▼  カールコード扉側取り付け部
「図２」
▲１▼  扉の開放防止に使用されるカールコード
▲２▼  カールコード箱側取り付け部
▲３▼  カールコード扉側取り付け部
「図３」
▲１▼  カールコード本体
▲２▼  カールコード幅
▲３▼  カールコード伸縮部
▲４▼  カールコード末端部
「図４」
▲１▼  カールコード末端処理部
▲２▼  カールコード末端リング状部
▲３▼  接続用フック部
「図５」
▲１▼  ビラカン三角リング部
▲２▼  ビラカン取り付け穴
「図６」
▲１▼  ビラカン三角リング部
▲２▼  ナット
▲３▼  ビラカン本体
▲４▼  取り付け部材
▲５▼  ボルト
【図１】
0003197327.tif 000003
【図２】
0003197327.tif 000004
【図３】
0003197327.tif 000005
【図４】
0003197327.tif 000006
【図５】
0003197327.tif 000007
【図６】
0003197327.tif 000008
【手続補正書】
【提出日】平成27年2月23日(2015.2.23)
【手続補正１】
【補正対象書類名】実用新案登録請求の範囲
【補正対象項目名】全文
【補正方法】変更
【補正の内容】
【実用新案登録請求の範囲】
【請求項１】
軽量扉の開放防止用具として、扉と箱との接続部材にカールコード（巻線状伸縮線）を使用することを特徴とする扉開放防止装置。
【請求項２】
蝶番辺対向部に開放防止用具を実装することを特徴とする請求項１記載の扉開放防止装置。
【請求項３】
扉及び箱にビラカンを取り付け、両端にフックが接続されたカールコード（開放防止用具）の両端を扉及び箱に取り付けられたビラカンにフックを介して接続することから構成され、フックをビラカンから取り外し、フックをビラカンに取り付けることにより開放防止用具が容易に交換できることを特徴とする請求項１記載の扉開放防止装置。
【請求項４】
扉及び箱にビラカンを取り付け、両端にフックが接続されたカールコード（開放防止用具）の両端を扉及び箱に取り付けられたビラカンにフックを介して接続することから構成され、フックをビラカンから取り外し、フックをビラカンに取り付けることにより開放防止用具が容易に脱着可能なことを特徴とする請求項１記載の扉開放防止装置。
【請求項５】
ビラカンを用い、箱に対し、カールコード接続の基点を点で実装することにより、開放防止用具を取り付ける箱の形状が曲面を有している場合においても実装可能なことを特徴とする請求項１記載の扉開放防止装置。
【請求項６】
開放防止用具の交換により扉の開放限界角度を変化させることのできることを特徴とする請求項１記載の扉開放防止装置。
【請求項７】
開放防止用具の太さ又は素材を変化させることにより、扉の閉力又は閉速度を変化させることのできることを特徴とする請求項１記載の扉開放防止装置。